(57)【要約】【課題】簡単なブレーキ機構によってスクリーンを任意の操作位置に停止させることができると共に操作性にも勝れた上げ下げ式スクリーン装置を得る。【解決手段】巻上軸３Ａで上げ下げされるスクリーン２Ａと、前記巻上軸３Ａに前記スクリーン２Ａを引き上げる方向の回転力を付与する巻上ばね５と、前記スクリーン２Ａを上げ下げ操作する操作框６と、該操作框６を任意の操作位置に停止させるためのブレーキ力を前記巻上軸に作用させるブレーキ機構１０とを有し、前記ブレーキ機構１０は、軸収容ボックス４に取り付けられた螺子杆１１と、前記巻上軸３Ａに取り付けられて該螺子杆１１と噛み合い、前記巻上軸３Ａの回転と共に回転して該螺子杆１１に沿って移動するナット部材１２，１３とを有し、該ナット部材１２，１３と前記螺子杆１１とにおける螺子山同士の接触力をブレーキ力として前記巻上軸３Ａの回転を抑制する。【選択図】図３
2020020106.tif 000002
【特許請求の範囲】
【請求項１】
軸収容ボックスの内部に水平な軸線を中心に回転自在なるように収容された巻上軸と、該巻上軸の正逆回転により上げ下げされるスクリーンと、前記巻上軸に前記スクリーンを引き上げる方向の回転力を付与する巻上ばねと、前記スクリーンの下端部に取り付けられて前記スクリーンを上げ下げ操作する操作框と、該操作框を任意の操作位置に停止させるためのブレーキ力を前記巻上軸に作用させるブレーキ機構とを有し、
前記ブレーキ機構は、前記軸収容ボックスに前記軸線に沿って延在するように取り付けられた螺子杆と、前記巻上軸に取り付けられて該螺子杆と噛み合い、前記巻上軸の回転と共に回転して該螺子杆に沿って移動するナット部材とを有し、該ナット部材と前記螺子杆とにおける螺子山同士の接触力をブレーキ力として前記巻上軸の回転を抑制するように構成されている、
ことを特徴とするブレーキ機構を備えた上げ下げ式スクリーン装置。
【請求項２】
前記巻上ばねの巻上力と、前記操作框の重量と、前記ナット部材によるブレーキ力との関係は、前記操作框を引き下げたときには、ブレーキ力に抗して前記巻上軸が回転することにより前記スクリーンが引き下げられ、前記操作框を押し上げたときには、ブレーキ力に抗して前記巻上軸が巻上ばねの巻上力で回転することにより前記スクリーンが引き上げられ、前記操作框を解放することによって該操作框の重量が前記スクリーンに作用しているときには、どの操作位置においても、ブレーキ力により前記巻上軸の回転が抑制されることによって前記操作框がその操作位置に停止するような関係であることを特徴とする請求項１に記載のスクリーン装置。
【請求項３】
前記ナット部材の接触力は、調整機構によって調整可能であることを特徴とする請求項１又は２に記載のスクリーン装置。
【請求項４】
前記調整機構は調整ばねを有し、該調整ばねで前記ナット部材を軸線方向に付勢することによって前記接触力を調整するように構成されたことを特徴とする請求項３に記載のスクリーン装置。
【請求項５】
前記ナット部材は２つ設けられ、該２つのナット部材間にコイル状をした前記調整ばねが介設され、前記２つのナット部材間の間隔を調整して前記調整ばねの付勢力を調整することにより、前記接触力が調整可能であることを特徴とする請求項４に記載のスクリーン装置。
【請求項６】
前記２つのナット部材は、前記巻上軸に、前記軸線を中心とする回転方向には該巻上軸に対して固定的であるが、前記軸線に沿う方向には該巻上軸に対して移動可能であるように取り付けられていることを特徴とする請求項５に記載のスクリーン装置。
【請求項７】
前記スクリーンは、前記巻上軸に巻き取られたり該巻取軸から引き出されたりするロールスクリーンであり、
前記巻上軸は、前記軸収容ボックスの内部に、前記軸線を中心に回転自在であるが該軸線方向には移動しないように収容され、
前記螺子杆は、基端部を前記軸収容ボックスに固定されて、先端部が前記巻上軸の内部に進入するように配設され、
前記２つのナット部材は、前記巻上軸の内部に取り付けられている、
ことを特徴とする請求項６に記載のスクリーン装置。
【請求項８】
前記２つのナット部材のうち一方の第１ナット部材は、前記巻上軸に、前記軸線を中心とする回転方向にも該軸線に沿う方向にも該巻上軸に対して固定的であるように取り付けられ、
他方の第２ナット部材は、前記巻上軸に、前記軸線を中心とする回転方向には該巻上軸に対して固定的であるが、前記軸線に沿う方向には該巻上軸に対して移動可能であるように取り付けられている、
ことを特徴とする請求項５に記載のスクリーン装置。
【請求項９】
前記スクリーンは、該スクリーンから延出するコードを前記巻上軸で巻き取ったり繰り出したりすることによって折り畳まれたり引き延ばされたりするスクリーンであり、
前記巻上軸は、前記軸収容ボックスの内部に、前記軸線を中心に回転自在であると共に回転により前記軸線方向に移動するように収容され、
前記螺子杆は、基端部を前記軸収容ボックスに固定されて、先端部が前記巻上軸の内部に進入するように配設され、
前記第１ナット部材は、前記巻上軸の端部に固定され、
前記第２ナット部材は、前記巻上軸の内部に取り付けられている、
ことを特徴とする請求項８に記載のスクリーン装置。
【請求項１０】
前記調整機構は、前記ナット部材の一部に、該ナット部材の外面から、前記螺子杆に噛み合う螺子孔に達するように形成された割り溝と、該割り溝の溝幅を調整する調整ねじとを有し、該調整ねじで前記割り溝の溝幅を調整して前記螺子孔の内径を調整することにより、前記接触力が調整可能であることを特徴とする請求項３に記載のスクリーン装置。
【発明の詳細な説明】
【技術分野】
【０００１】
本発明は、遮光や断熱あるいは防虫等の目的で建物開口部に取り付けて使用されるスクリーン装置のうち、ばね力で回転する巻上軸によってスクリーンを上げ下げ操作する上げ下げ式スクリーン装置に関するものであり、更に詳しくは、前記スクリーンを上げ下げ操作する操作框を任意の操作位置に停止させるためのブレーキ機構を備えたスクリーン装置に関するものである。
【背景技術】
【０００２】
ばね力で回転する巻上軸によってスクリーンを上げ下げ操作する上げ下げ式スクリーン装置は、従来より各種形態のものが使用されており、その代表的なものに、ロールアップ式のスクリーン装置（ロールスクリーン装置）がある。
【０００３】
前記ロールスクリーン装置は、一般に、軸収容ボックスの内部に水平な軸線を中心に回転自在なるように収容された巻上軸と、該巻上軸に巻き取られたり該巻上軸から繰り出されたりすることによって上げ下げされるスクリーンと、前記巻上軸に前記スクリーンを巻き取る方向の回転力を付与する巻上ばねと、前記スクリーンを上げ下げ操作するコード又は操作框等の操作手段とを有していて、該操作手段で前記スクリーンを上げ下げ操作することにより、該スクリーンが、前記巻上軸に巻き取られることによって建物開口部全体を開放する上昇位置（開放位置）と、前記巻上軸から繰り出されることによって前記建物開口部全体を覆う下降位置(遮蔽位置）との間で上下動するものである。
【０００４】
前記ロールスクリーン装置には、前記スクリーンを、中間位置を含む任意の操作位置で停止させることができるようにするため、特許文献１−３に開示されているように、各種構造を持った停止機構が設けられている。
【０００５】
特許文献１及び特許文献２のロールスクリーン装置においては、前記停止機構として、プーリ、回転筒、一方向クラッチばね、ボール（係合部材）、パイプ受け等で構成されたクラッチ装置を設け、このクラッチ装置で、スクリーンを巻き取る巻取軸（巻取パイプ）と該巻取軸を支持するサイドプレートとを相互に係止させることにより、前記巻取軸の回転を停止させて前記スクリーンを必要な操作位置に停止させるようにしている。
【０００６】
また、特許文献３には、縦引きタイプとしても適用可能なロールスクリーン装置が開示され、このロールクリーン装置に、歯車状の係止受部と、この係止受部に係脱する係止部とからなる停止機構が設けられ、この停止機構で巻取軸の回転を止めることにより、スクリーンを必要な操作位置に停止させるようにしている。
【０００７】
しかしながら、前記各特許文献１−３に開示されたロールクリーン装置の停止機構は、何れも、複雑な形状をした多数の部品を組み合わせることによって構成されているため、構造が非常に複雑で、製造コストも高いという難点がある。
また、前記スクリーンを停止状態から前記巻取軸を回転させて巻き上げる場合、操作手段によってスクリーンを一旦少し下降させることにより、前記巻取軸を停止機構による拘束状態から解放する必要があるが、前記操作手段がスクリーンの下端に取り付けられた操作框である場合、該スクリーンが遮蔽位置まで引き下げられた状態にあって前記操作框が建物開口部の下枠に接触している場合には、該操作框を一旦下降させる操作ができないため、スクリーンの巻上操作を行うのが困難になるという問題があり、操作性においても難点があった。
【先行技術文献】
【特許文献】
【０００８】
【特許文献１】特開平７−２６８６２号公報
【特許文献２】特開平７−２３３６８４号公報
【特許文献３】特開２００４−２０４６７３号公報
【発明の概要】
【発明が解決しようとする課題】
【０００９】
本発明の技術的課題は、構成が簡単なブレーキ機構によってスクリーンを任意の操作位置に確実に停止させることができ、また、スクリーンを上げ下げする際の操作性にも勝れた、上げ下げ式スクリーン装置を提供することにある。
【課題を解決するための手段】
【００１０】
前記課題を解決するため、本発明のスクリーン装置は、軸収容ボックスの内部に水平な軸線を中心に回転自在なるように収容された巻上軸と、該巻上軸の正逆回転により上げ下げされるスクリーンと、前記巻上軸に前記スクリーンを引き上げる方向の回転力を付与する巻上ばねと、前記スクリーンの下端部に取り付けられて前記スクリーンを上げ下げ操作する操作框と、該操作框を任意の操作位置に停止させるためのブレーキ力を前記巻上軸に作用させるブレーキ機構とを有し、前記ブレーキ機構は、前記軸収容ボックスに前記軸線に沿って延在するように取り付けられた螺子杆と、前記巻上軸に取り付けられて該螺子杆と噛み合い、前記巻上軸の回転と共に回転して該螺子杆に沿って移動するナット部材とを有し、該ナット部材と前記螺子杆とにおける螺子山同士の接触力をブレーキ力として前記巻上軸の回転を抑制するように構成されていることを特徴とするものである。
【００１１】
本発明においては、前記巻上ばねの巻上力と、前記操作框の重量と、前記ナット部材によるブレーキ力との関係は、前記操作框を引き下げたときには、ブレーキ力に抗して前記巻上軸が回転することにより前記スクリーンが引き下げられ、前記操作框を押し上げたときには、ブレーキ力に抗して前記巻上軸が巻上ばねの巻上力で回転することにより前記スクリーンが引き上げられ、前記操作框を解放することによって該操作框の重量が前記スクリーンに作用しているときには、どの操作位置においても、ブレーキ力により前記巻上軸の回転が抑制されることによって前記操作框がその操作位置に停止するような関係に設定されている。
【００１２】
前記ナット部材の接触力は、調整機構によって調整可能であることが好ましい。
前記調整機構の好ましい例としては、該調整機構が調整ばねを有し、該調整ばねで前記ナット部材を軸線方向に付勢することによって前記接触力を調整するように構成されていることであり、より好ましくは、前記ナット部材が２つ設けられ、該２つのナット部材間にコイル状をした前記調整ばねが介設され、前記２つのナット部材間の間隔を調整して前記調整ばねの付勢力を調整することにより、前記接触力が調整可能であることである。
【００１３】
本発明の一つの具体的な構成態様によれば、前記２つのナット部材は、前記巻上軸に、前記軸線を中心とする回転方向には該巻上軸に対して固定的であるが、前記軸線に沿う方向には該巻上軸に対して移動可能であるように取り付けられる。
この場合、前記スクリーンは、前記巻上軸に巻き取られたり該巻取軸から引き出されたりするロールスクリーンであり、前記巻上軸は、前記軸収容ボックスの内部に、前記軸線を中心に回転自在であるが該軸線方向には移動しないように収容され、前記螺子杆は、基端部を前記軸収容ボックスに固定されて、先端部が前記巻上軸の内部に進入するように配設され、前記２つのナット部材は、前記巻上軸の内部に取り付けられる。
【００１４】
本発明の他の具体的な構成態様によれば、前記２つのナット部材のうち一方の第１ナット部材は、前記巻上軸に、前記軸線を中心とする回転方向にも該軸線に沿う方向にも該巻上軸に対して固定的であるように取り付けられ、他方の第２ナット部材は、前記巻上軸に、前記軸線を中心とする回転方向には該巻上軸に対して固定的であるが、前記軸線に沿う方向には該巻上軸に対して移動可能であるように取り付けられる。
この場合、前記スクリーンは、該スクリーンから延出するコードを前記巻上軸で巻き取ったり繰り出したりすることによって折り畳まれたり引き延ばされたりするスクリーンであり、前記巻上軸は、前記軸収容ボックスの内部に、前記軸線を中心に回転自在であると共に回転により前記軸線方向に移動するように収容され、前記螺子杆は、基端部を前記軸収容ボックスに固定されて、先端部が前記巻上軸の内部に進入するように配設され、前記第１ナット部材は、前記巻上軸の端部に固定され、前記第２ナット部材は、前記巻上軸の内部に取り付けられる。
【００１５】
本発明において、前記調整機構は、前記ナット部材の一部に、該ナット部材の外面から、前記螺子杆に噛み合う螺子孔に達するように形成された割り溝と、該割り溝の溝幅を調整する調整ねじとを有し、該調整ねじで前記割り溝の溝幅を調整して前記螺子孔の内径を調整することにより、前記接触力が調整可能であるように構成されていても良い。
【発明の効果】
【００１６】
本発明のスクリーン装置は、スクリーンを任意の操作位置に停止させるためのブレーキ機構が、軸収容ボックスに固定された螺子杆と、該螺子杆と噛み合って巻上軸と共に回転するナット部材とで構成されていて、これらナット部材と螺子杆とにおける螺子山同士の接触力をブレーキ力として前記巻上軸の回転を抑制するように構成されているので、多数の部品で構成されたクラッチからなるブレーキ機構を使用する従来のスクリーン装置に比べ、構造が非常に簡単である。
また、本発明のスクリーン装置は、スクリーンを上昇させる場合、クラッチ機構を使用した場合のように操作框を一旦少し引き下げる必要がなく、該操作框をそのまま押し上げれば良いため、スクリーンの上昇操作を簡単に行うことができる。
【図面の簡単な説明】
【００１７】
【図１】本発明に係るスクリーン装置の第１実施形態を示す部分破断正面図であって、スクリーンを途中の位置まで下降させた状態を示す図である。
【図２】図１の側断面図である。
【図３】図１の要部拡大図である。
【図４】図３におけるＩＶ−ＩＶ線での断面図である。
【図５】螺子杆とナット部材とが噛み合った状態を示す部分拡大断面図である。
【図６】本発明に係るスクリーン装置の第２実施形態を示す正面図であって、ハニカムスクリーンを途中の位置まで下降させた状態を示す図である。
【図７】図６の部分破断平面図である。
【図８】図７の部分拡大図であって、ハニカムスクリーンを上昇端まで引き上げた状態の図である。
【図９】図７の要部拡大図であって、ハニカムスクリーンを下降端まで引き下げた状態の図である。
【図１０】ナット部材の変形例を示す断面図である。
【発明を実施するための形態】
【００１８】
図１−図５は本発明に係るブレーキ機構を備えた上げ下げ式スクリーン装置の第１実施形態を示すものである。この第１実施形態のスクリーン装置１Ａは、ロールアップ式のスクリーン装置であって、防虫ネットや断熱シートあるいは遮光シートなどの平面状をしたスクリーン２Ａを、巻上軸３Ａで直接巻き取ることによって引き上げるようにしたものである。この場合、前記スクリーン２Ａは、ロールスクリーンと呼ぶことができる。
【００１９】
図１及び図２に示すように、前記スクリーン装置１Ａは、窓や出入り口といった建物開口部の上枠に水平に取り付ける四角い軸収容ボックス４と、該軸収容ボックス４の内部に水平な軸線Ｌを中心に回転自在であるが該軸線Ｌ方向には移動しないように配設された円筒形の前記巻上軸３Ａと、該巻上軸３Ａに内蔵されて該巻上軸３Ａに前記スクリーン２Ａを引き上げる方向の回転力（巻上力）を付与するコイル状の巻上ばね５と、前記巻上軸３Ａに基端部を連結され、先端部が前記軸収容ボックス４の下面の導出口４ａから下向きに導出された前記スクリーン２Ａと、該スクリーン２Ａの下端部に水平に取り付けられた操作框６とを有している。
【００２０】
これにより、前記スクリーン装置１Ａは、前記操作框６を引き下げて前記スクリーン２Ａを巻上軸３Ａから引き出すことにより、該スクリーン２Ａで前記建物開口部を遮蔽することができ、前記操作框６を押し上げて前記スクリーン２Ａを前記巻上軸３Ａに巻き取らせることにより、前記建物開口部を開放することができる。
【００２１】
また、前記スクリーン装置１Ａは、前記操作框６を任意の操作位置で停止させるため、前記巻上軸３Ａにブレーキ力を作用させるブレーキ機構１０を備えている。このブレーキ機構１０は、図３−図５から明らかなように、前記軸収容ボックス４に前記軸線Ｌに沿って延在するように取り付けられた螺子杆１１と、前記巻上軸３Ａに取り付けられて該螺子杆１１と噛み合い、前記巻上軸３Ａの回転と共に回転して該螺子杆１１に沿って移動するブレーキ用の２つのナット部材１２，１３とを有し、該ナット部材１２，１３と前記螺子杆１１とにおける螺子山同士の接触による摩擦力をブレーキ力として、前記巻上軸３Ａの回転を抑制するように構成されている。
【００２２】
前記螺子杆１１は、外周に雄螺子が切られた丸棒状の部材からなるもので、基端部を前記軸収容ボックス４の一端を塞ぐ端壁４ｂに固定されることにより、該端壁４ｂに片持ち状に支持され、先端部が前記巻上軸３Ａの内部に進入している。該螺子杆１１の長さは、前記巻上軸３Ａの長さの１／２より短い。
【００２３】
前記ナット部材１２，１３は、円板形をしていて、中心に螺子孔１４を有し、該螺子孔１４の内周に、前記螺子杆１１の雄螺子と噛み合う雌螺子が切られている。また、該ナット部材１２，１３の外周面の一部には、凹溝１５が、前記軸線Ｌに沿って延在するように形成され、該凹溝１５に、前記巻上軸３Ａの内面に軸線Ｌに沿って延在するように形成された突条１６が嵌合している。これにより前記ナット部材１２，１３は、前記巻上軸３Ａの内部に、前記軸線Ｌを中心とする回転方向には該巻上軸３Ａに対して固定的であるが、前記軸線Ｌに沿う方向には該巻上軸３Ａに対して相対的に移動可能であるように取り付けられている。
【００２４】
また、前記２つのナット部材１２，１３の間には、コイル状をした調整ばね１７が圧縮状態に介設され、この調整ばね１７によって前記２つのナット部材１２，１３が、前記軸線Ｌに沿って互いに離間する方向に付勢さており、その付勢力により、図５に一方のナット部材１２について示すように、該ナット部材１２に形成された雌螺子の螺子山１８の側面１８ａと、前記螺子杆１１に形成された雄螺子の螺子山１９の側面１９ａとの接触力が増大されている。従って、前記接触力即ちブレーキ力は、前記２つのナット部材１２，１３間の間隔Ｄを調整して前記調整ばね１７の圧縮量を変化させることにより、調整することができる。従って、前記調整ばね１７は、前記接触力を調整するための調整機構を構成するものである。
【００２５】
なお、他方のナット部材１３については、図５に括弧付きの符号で示すように、該ナット部材１３に形成された雌螺子の螺子山１８の側面１８ｂと、前記螺子杆１１に形成された雄螺子の螺子山１９の側面１９ｂとの接触力が増大される。
【００２６】
前記巻上ばね５による巻上力と、前記操作框６の重量と、前記ナット部材１２，１３によるブレーキ力とは、次のような関係に設定されている。即ち、前記巻上ばね５の巻上力は、前記操作框６でスクリーン２Ａを、上昇端である全開位置から例えば半分程度引き下げた状態にしたとき、該巻上ばね５の巻上力と前記操作框６の重量とが丁度釣り合って該操作框６がその位置に停止するような大きさに設定されており、また、前記ブレーキ力は、前記操作框６を押し上げ操作している状態、即ち、該操作框６の重量が前記スクリーン２Ａに作用していない状態では、どの操作位置からでも、前記巻上ばね５の巻上力により前記巻上軸３Ａを回転させて前記スクリーン２Ａを巻き上げることができるが、前記操作框６から手を離すことによって該操作框６の重量が前記スクリーン２Ａに作用すると、どの操作位置であっても、該操作框６がその位置に停止し、自重で下降したり、前記巻上ばね５の巻上力によって持ち上げられたりしないような大きさに設定されている。
なお、前記巻上ばね５の巻上力と前記操作框６の重量とをバランスさせる位置は、スクリーン装置のサイズやスクリーンの種類等によって異なり、常に前記操作框６を半分程度引き下げた場合であるとは限らない。
【００２７】
次に、前記スクリーン装置１Ａの作用について説明する。先ず、前記スクリーン２Ａが前記巻上軸３Ａに完全に巻き取られることによって上昇端（全開位置）にあると共に、前記操作框６が上昇端にある状態から、該スクリーン２Ａを下降端（遮蔽位置）に向けて下降させる場合について説明する。前記スクリーン２Ａが上昇端にあるとき、前記２つのナット部材１２，１３は、図３に示す実線位置より更に前記螺子杆１１の右端部寄りの位置にある。
この状態から、前記操作框６を手で引き下げると、前記巻上軸３Ａが図２の反時計方向に回転することにより、前記スクリーン２Ａは該巻上軸３Ａから引き出される。
【００２８】
前記スクリーン２Ａが下降すると、前記巻上軸３Ａの内部においては、前記２つのナット部材１２，１３が該巻上軸３Ａと一緒に回転し、該巻上軸３Ａの内面に形成された前記突条１６にガイドされながら、前記螺子杆１１に沿って図３の左方に移動し、鎖線位置まで達する。この鎖線位置は、前記スクリーン２Ａが下降端まで引き下げられた時の前記ナット部材１２，１３の位置である。また、前記巻上軸３Ａの回転によって前記巻上ばね５が捻られることにより、該巻上ばね５に巻上力が蓄積される。
なお、前記２つのナット部材１２，１３の移動は同期的に行われ、相互間の間隔Ｄが変化することはない。
【００２９】
前記スクリーン２Ａを下降途中又は下降端で停止させるときは、その位置で前記操作框６を停止させ、該操作框６から手を離す。そうすると、前記巻上軸３Ａの回転が停止するため、前記ナット部材１２，１３の回転及び螺子杆１１に沿った移動も停止する。このとき、前記スクリーン２Ａには、前記操作框６の重量が下向きに作用しているが、前記ナット部材１２，１３と前記螺子杆１１との間に両者の接触力によるブレーキ力が作用し、該ブレーキ力によって前記巻上軸３Ａの回転が抑制されるため、前記操作框６はその位置に停止し、自重により下降したり、前記巻上ばね５の巻上力によって持ち上げられたりすることはない。
【００３０】
前記スクリーン２Ａを前記下降途中又は下降端の位置から上昇させる場合は、前記操作框６を手で押し上げるようにする。そうすると、該操作框６の重量が前記スクリーン２Ａに作用しなくなるため、前記スクリーン２Ａは、前記ナット部材１２，１３と螺子杆１１との間にブレーキ力が作用していても、前記巻上ばね５の巻上力により、前記巻上軸３Ａが図２の時計方向に回転することによって巻き上げられる。このとき、前記巻上軸３Ａの内部においては、前記２つのナット部材１２，１３が該巻上軸３Ａと一緒に回転し、前記突条１６にガイドされながら前記螺子杆１１に沿って図３の右方向に移動する。
前記スクリーン２Ａを上昇途中で停止させる場合は、その位置で前記操作框６を停止させ、該操作框６から手を離せば良い。
【００３１】
なお、前記スクリーン２Ａを下降端から上昇させる場合、前記操作框６が建物開口部の下枠に接触していても、クラッチ機構を使用した従来のスクリーン装置１Ａとは違って該操作框６を一旦少し引き下げる必要がなく、該操作框６をその位置から単に押し上げれば良いため、前記スクリーン２Ａの上昇操作を簡単に行うことができる。
また、前記ブレーキ機構１０は、ナット部材１２，１３と、該ナット部材１２，１３を軸線Ｌ方向に付勢する調整ばね１７とで構成されているため、従来のように多数の部品で構成されたクラッチを使用する場合に比べ、構造が非常に簡単である。
【００３２】
図６−図９は本発明の第２実施形態を示すもので、この第２実施形態のスクリーン装置１Ｂは、スクリーン２Ｂとしてハニカムスクリーンを使用している。以下、この第２実施形態のスクリーン装置１Ｂの構成について説明するが、その際、前記第１実施形態のスクリーン装置１Ａと共通する構成については、その部分に該スクリーン装置１Ａと同じ符号を付してその説明は省略する。
【００３３】
前記ハニカムスクリーン２Ｂは、断面多角形状をなす複数の中空部２５が、水平を向く姿勢で上下方向に順次連なることによって形成された立体構造のスクリーンであり、上下方向に折り畳んだり引き延ばしたりすることができるものである。
【００３４】
前記スクリーン２Ｂには、上下方向に延びる２本のコード２６が、前記中空部２５を順次横断するように取り付けられ、該コード２６の上端は、巻上ばね５で回転される巻上軸３Ｂに巻き付けられ、該コード２６の下端は、前記スクリーン２Ｂの下端に取り付けられた操作框６に連結されている。従って、前記操作框６を引き下げると、前記巻上軸３Ｂからコード２６が引き出されることにより、前記スクリーン２Ｂが引き延ばされながら下降し、前記操作框６を押し上げると、前記巻上軸３Ｂにコード２６が巻き取られることにより、前記スクリーン２Ｂが上昇しながら折り畳まれる。
【００３５】
また、前記スクリーン２Ｂの上昇時に前記巻上軸３Ｂがコード２６を巻き取る際に、該巻上軸３Ｂの一箇所にコード２６が巻き重なるのを防止するため、該巻上軸３Ｂを軸線Ｌ方向に移動させることにより、前記コード２６を螺旋状に巻き取るようにしている。
このため、前記巻上軸３Ｂは、軸収容ボックス４の内部に軸線Ｌ方向に移動自在なるように収容されており、前記軸収容ボックス４の一端に固定された支持部材４ｃには、外周に雄螺子が切られた螺子杆１１の基端部が固定され、該螺子杆１１の先端部は、前記巻上軸３Ｂの内部に進入し、該螺子杆１１に、前記巻上軸３Ｂの端部に固定された移動用のナット部材２７が噛み合っている。
【００３６】
この構成により、前記スクリーン２Ｂの上昇時に前記巻上軸３Ｂが回転すると、前記ナット部材２７が一緒に回転して前記螺子杆１１に沿って軸線Ｌ方向に移動するため、該巻上軸３Ｂも軸線Ｌ方向に移動し、前記コード２６は螺旋状に巻き取られる。
【００３７】
また、前記スクリーン装置１Ｂは、前記操作框６を任意の操作位置で停止させるためのブレーキ機構１０を備えている。このブレーキ機構１０は、前記移動用のナット部材２７（第１ナット部材）と、前記巻上軸３Ｂの内部に取り付けられて前記螺子杆１１と噛み合うブレーキ用のナット部材２８（第２ナット部材）と、両ナット部材２７，２８の間に介設された調整ばね１７とによって構成されている。
【００３８】
前記第１ナット部材２７は、前述したように、前記巻上軸３Ｂに、軸線Ｌを中心とする回転方向にも該軸線Ｌに沿う方向にも固定的であるように取り付けられているが、前記第２ナット部材２８は、前記巻上軸３Ｂに、前記軸線Ｌを中心とする回転方向には該巻上軸３Ｂに対して固定的であるが、前記軸線Ｌに沿う方向には該巻上軸３Ｂに対して移動可能であるように取り付けられている。そして、前記第２ナット部材２８の位置を軸線Ｌ方向に調整して両ナット部材２７，２８間の間隔Ｄを調整することにより、前記調整ばね１７の付勢力を調整し、それにより、前記螺子杆１１に対する両ナット部材２７，２８の接触力を調整することができるようになっている。従って、前記第１ナット部材２７は、移動用のナット部材とブレーキ用のナット部材とを兼ねるものである。
【００３９】
前記第２実施形態のスクリーン装置１Ｂにおいて、前記スクリーン２Ｂが上昇端（全開位置）にあるとき、該スクリーン２Ｂは、前記コード２６が巻上軸３Ｂに巻き取られることにより、上下に圧縮された状態に折り畳まれている。このとき、前記巻上軸３Ｂは、図８に示すように、前記第１ナット部材２７と螺子杆１１との作用によって左方に移動している。
【００４０】
この状態から、前記操作框６を手で引き下げると、前記コード２６が前記巻上軸３Ｂから引き出されるため、前記スクリーン２Ｂは、徐々に引き延ばされながら下降する。このとき、前記巻上軸３Ｂと前記第１ナット部材２７とが一体になって回転し、該第１ナット部材２７が前記螺子杆１１に沿って図７及び図８の右方向に移動するため、前記巻上軸３Ｂも一緒に移動し、該巻上軸３Ｂに螺旋状に巻き取られていた前記コード２６が徐々に引き出されていく。また、前記巻上軸３Ｂの内部に取り付けられた前記第２ナット部材２８も、該巻上軸３Ｂと一緒に回転し且つ移動する。
【００４１】
前記操作框６即ちスクリーン２Ｂを下降端まで引き下ろすと、図９に示すように、前記巻上軸３Ｂは、その端部に形成された当接部２９が、軸収容ボックス４の支持部材４ｃに形成されたストッパ３０に当接する位置まで移動し、これら当接部２９とストッパ３０との当接によって該巻上軸３Ｂのそれ以上の回転が規制されるため、前記スクリーン２Ｂの下降端の位置が規定される。
【００４２】
前記スクリーン２Ｂを下降途中又は下降端で停止させるときは、前記第１実施形態のスクリーン装置１Ａと同様に、必要な位置で前記操作框６を停止させ、該操作框６から手を離す。そうすると、前記巻上軸３Ｂの回転が停止し、該巻上軸３Ｂに前記第１ナット部材２７及び第２ナット部材２８と螺子杆１１との接触力によるブレーキ力が作用するため、該巻上軸３Ｂの回転は抑制され、前記操作框６はその位置に停止する。
【００４３】
前記スクリーン２Ｂを前記下降途中又は下降端の位置から上昇させる場合には、前記操作框６を手で押し上げれば良い。このとき、前記巻上軸３Ｂと第１ナット部材２７とは、前記スクリーン２Ｂを下降させる場合と逆向きに回転するため、前記螺子杆１１に沿って図９の左方向に移動し、該巻上軸３Ｂに前記コード２６が螺旋状に巻き取られていく。また、前記第２ナット部材２８も、前記第１ナット部材２７と同方向に回転して同方向に移動する。
前記スクリーン２Ｂを上昇途中で停止させる場合は、その位置で前記操作框６を停止させ、該操作框６から手を離すだけで良い。
【００４４】
前記第２実施形態においては、前記ハニカムスクリーン２Ｂの代わりに、アコーディオン式に折り畳んだり引き延ばしたりするプリーツスクリーンを使用することもできる。
【００４５】
また、前記第１及び第２実施形態においては、前記螺子杆１１とナット部材１２，１３又は２７，２８との接触力を調整する調整ばね１７が、２つのナット部材１２，１３又は２７，２８を互いの間隔Ｄが広がる方向に付勢する圧縮ばねであるが、前記調整ばね１７は、２つのナット部材１２，１３又は２７，２８を互いの間隔Ｄが狭まる方向に付勢する引張ばねであっても良い。
【００４６】
更に、前記第２実施形態においては、前記移動用のナット部材（第１ナット部材）２７を、ブレーキ用の２つのナット部材の１つとして兼用しているが、このナット部材２７を移動用専用とし、このナット部材２７の他に、第１実施形態の場合と同様に、ブレーキ専用の２つのナット部材を前記巻上軸３Ｂの内部に取り付けても良い。
【００４７】
また、前記各実施形態では、前記ブレーキ機構１０が、２つのナット部材１２，１３又は２７，２８と、ブレーキ力を調整するための調整ばね１７とを備えているが、前記ブレーキ機構１０として、図１０に示すような、ブレーキ力を調整可能な１つのナット部材３２を使用することもできる。
図１０に示すナット部材３２は、外周面の一部から螺子孔１４に達する半径方向の割り溝３３を有すると共に、調整螺子３４を取り付けるための段部３５を有するもので、該調整螺子３４を締め込んだり緩めたりして前記割り溝３３の溝幅Ｇを調整することにより前記螺子孔１４の内径を調整し、それにより、該ナット部材３２と螺子杆１１と接触力即ちブレーキ力を調整するように構成されている。従って、該ナット部材３２において、接触力を調整するための調整機構は、前記割り溝３３と調整螺子３４とで構成されているということができる。
【００４８】
また、前記第１実施形態のブレーキ機構１０の変形例として、前記２つのナット部材１２，１３の何れか一方の代わりにばね座を設け、このばね座を前記巻上軸３Ａに固定し、このばね座と他方のナット部材との間に前記調整ばね１７を介設した構成のものを用いることもできる。この場合、前記ばね座には、螺子孔１４の代わりに、前記螺子杆１１より大径の円孔が形成され、該円孔の内部を前記螺子杆１１が非接触状態で貫通するように構成される。従って、この変形例において、ブレーキ力を発生させるナット部材は１つである。
【符号の説明】
【００４９】
１Ａ，１Ｂ      スクリーン装置
２Ａ，２Ｂ      スクリーン
３Ａ，３Ｂ      巻上軸
４      軸収容ボックス
５      巻上ばね
６      操作框
１０      ブレーキ機構
１１      螺子杆
１２，１３，２７，２８，３２      ナット部材
１４      螺子孔
１７      調整ばね
１８，１９      螺子山
２６      コード
３３      割り溝
３４      調整螺子
Ｌ      軸線
【図１】
2020020106.tif 000003
【図２】
2020020106.tif 000004
【図３】
2020020106.tif 000005
【図４】
2020020106.tif 000006
【図５】
2020020106.tif 000007
【図６】
2020020106.tif 000008
【図７】
2020020106.tif 000009
【図８】
2020020106.tif 000010
【図９】
2020020106.tif 000011
【図１０】
2020020106.tif 000012